(57)【要約】【課題】セキュリティを向上する。【解決手段】画像処理システム１は、画像処理装置２と携帯端末６とを設け、画像処理装置２は、印刷ジョブを受け付ける際にサーバ４から通知された該印刷ジョブの印刷を実行する認証されたユーザのユーザ名を保持するデバイス管理部２６と、近接無線通信で携帯端末６から該携帯端末６を操作するユーザのユーザ名を受信する近接無線通信部１６と、近接無線通信部１６により受信したユーザ名が、デバイス管理部２６に保持されたユーザ名と一致するか否かを判定し、一致した場合、印刷ジョブに関する情報を携帯端末６へ送信する制御部１０とを具え、携帯端末６は、ユーザ名を画像処理装置２へ送信すると共に、印刷ジョブに関する情報を画像処理装置２から受信する近接無線通信部６０と、受信した印刷ジョブに関する情報を提示する操作パネル５６とを具えるようにした。【選択図】図７
2018142116.tif 000002
【特許請求の範囲】
【請求項１】
画像処理装置と携帯端末とを有し、
前記画像処理装置は、
印刷ジョブを受け付ける際に外部機器から通知された該印刷ジョブの印刷を実行する認証されたユーザのユーザ名を保持するデバイス管理部と、
近接無線通信で前記携帯端末から該携帯端末を操作する前記ユーザのユーザ名を受信する近接無線通信部と、
前記近接無線通信部により受信した前記ユーザ名が、前記デバイス管理部に保持された前記ユーザ名と一致するか否かを判定し、一致した場合、前記印刷ジョブに関する情報を前記携帯端末へ送信する制御部と
を具え、
前記携帯端末は、
前記ユーザ名を前記画像処理装置へ送信すると共に、前記印刷ジョブに関する情報を前記画像処理装置から受信する携帯端末近接無線通信部と、
受信した前記印刷ジョブに関する情報を提示する携帯端末提示部と
を具える画像処理システム。
【請求項２】
前記デバイス管理部は、前記印刷ジョブを受け付ける際に前記外部機器から通知された前記ユーザ名と前記携帯端末固有のデバイス識別子とを保持し、
前記近接無線通信部は、前記近接無線通信で前記携帯端末から前記ユーザ名と前記デバイス識別子とを受信し、
前記制御部は、前記近接無線通信部により受信した前記ユーザ名及び前記デバイス識別子が、前記デバイス管理部に保持された前記ユーザ名及び前記デバイス識別子と一致するか否かを判定し、一致した場合、前記印刷ジョブに関する情報を前記携帯端末へ送信する
請求項１に記載の画像処理システム。
【請求項３】
前記画像処理装置は、
前記ユーザに情報を提示する提示部をさらに有し、
前記制御部は、前記印刷ジョブの印刷を実行した前記ユーザにのみ提示可能な前記印刷ジョブに関する情報を前記提示部には表示させない
請求項１に記載の画像処理システム。
【請求項４】
前記制御部は、前記印刷ジョブの印刷を実行した前記ユーザ以外に提示可能な前記印刷ジョブに関する情報を前記提示部に表示させる
請求項３に記載の画像処理システム。
【請求項５】
前記制御部は、前記印刷ジョブに関する情報を、前記印刷ジョブの送信元であるクライアント端末へは送信しない
請求項１に記載の画像処理システム。
【請求項６】
前記外部機器は、
予め登録された前記ユーザの登録済認証情報と、前記ユーザの操作に基づき前記携帯端末から通知された前記ユーザの入力認証情報とを照合することにより、前記ユーザの認証を行うユーザ管理部と、
前記ユーザが認証されたことを前記画像処理装置へ通知する外部機器制御部と
を有する
請求項１に記載の画像処理システム。
【請求項７】
前記外部機器は、
前記ユーザの印刷ジョブ一覧情報を前記ユーザの前記携帯端末へ送信するブラウザ画面制御部と、
前記画像処理装置が印刷すべき前記印刷ジョブを記憶し、前記印刷ジョブ一覧情報において前記ユーザに選択された前記印刷ジョブを前記画像処理装置へ送信するジョブ管理部と
を有する請求項１に記載の画像処理システム。
【請求項８】
前記外部機器は、
複数の前記画像処理装置の印刷状態を確認する画像処理装置管理部と、
前記複数の前記画像処理装置の印刷状態を示す画像処理装置リストを前記携帯端末へ送信する外部機器制御部と
を有し、
前記ジョブ管理部は、前記印刷ジョブ一覧情報において前記ユーザに選択された前記印刷ジョブを、前記画像処理装置リストにおいて前記ユーザに選択された前記画像処理装置へ送信する
請求項７に記載の画像処理システム。
【発明の詳細な説明】
【技術分野】
【０００１】
本発明は、画像処理システムに関し、例えば、サーバと携帯端末と印刷装置とが通信回線を介して通信可能な画像処理システムに適用して好適なものである。
【背景技術】
【０００２】
従来の画像処理システムにおいては、印刷装置が提供するＷｅｂページにより、印刷ジョブの処理状況等をクライアント端末においてユーザが見ることができるものが提案されている（例えば、特許文献１参照）。
【先行技術文献】
【特許文献】
【０００３】
【特許文献１】特開２００４−３２６４５８号公報
【発明の概要】
【発明が解決しようとする課題】
【０００４】
しかしながら、昨今個人情報の重要性が高まり、印刷ジョブに関する情報とは言え個人情報に含まれる内容を持つ情報もある。このような印刷ジョブに関する情報を、印刷を実行したユーザ以外の他人の目にクライアント端末において触れさせることは、セキュリティはもちろんモラル上も好ましくない。
【０００５】
本発明は以上の点を考慮してなされたもので、セキュリティを向上し得る画像処理システムを提案しようとするものである。
【課題を解決するための手段】
【０００６】
かかる課題を解決するため本発明の画像処理システムにおいては、画像処理装置と携帯端末とを設け、画像処理装置は、印刷ジョブを受け付ける際に外部機器から通知された該印刷ジョブの印刷を実行する認証されたユーザのユーザ名を保持するデバイス管理部と、近接無線通信で携帯端末から該携帯端末を操作するユーザのユーザ名を受信する近接無線通信部と、近接無線通信部により受信したユーザ名が、デバイス管理部に保持されたユーザ名と一致するか否かを判定し、一致した場合、印刷ジョブに関する情報を携帯端末へ送信する制御部とを具え、携帯端末は、ユーザ名を画像処理装置へ送信すると共に、印刷ジョブに関する情報を画像処理装置から受信する携帯端末近接無線通信部と、受信した印刷ジョブに関する情報を提示する携帯端末提示部とを具えるようにした。
【０００７】
これにより本発明は、印刷を行っている画像処理装置と通信を行った、ユーザが把持する携帯端末に印刷に関する情報を表示させることにより、印刷に関する情報を、該印刷を実行させたユーザ以外に提示してしまうことを防ぐことができる。
【発明の効果】
【０００８】
本発明によれば、印刷を行っている画像処理装置と通信を行った、ユーザが把持する携帯端末に印刷に関する情報を表示させることにより、印刷に関する情報を、該印刷を実行させたユーザ以外に提示してしまうことを防ぐことができ、かくしてセキュリティを向上し得る画像処理システムを実現できる。
【図面の簡単な説明】
【０００９】
【図１】画像処理システムの構成を示す図である。
【図２】画像処理装置の構成を示すブロック図である。
【図３】第１の実施の形態によるサーバの構成を示すブロック図である。
【図４】携帯端末の構成を示すブロック図である。
【図５】第１の実施の形態による携帯端末とサーバとの印刷処理手順を示すシーケンスチャートである。
【図６】第１の実施の形態によるサーバと画像処理装置との印刷処理手順を示すシーケンスチャートである。
【図７】携帯端末と画像処理装置との印刷処理手順を示すシーケンスチャートである。
【図８】第２の実施の形態によるサーバの構成を示すブロック図である。
【図９】画像処理装置リストを示す図である。
【図１０】第２の実施の形態による携帯端末とサーバとの印刷処理手順を示すシーケンスチャートである。
【図１１】第２の実施の形態によるサーバと画像処理装置との印刷処理手順を示すシーケンスチャートである。
【発明を実施するための形態】
【００１０】
以下、発明を実施するための形態（以下実施の形態とする）について、図面を用いて説明する。
【００１１】
［１．第１の実施の形態］
［１−１．画像処理システムの構成］
図１に示すように、画像処理システム１は、画像処理装置２、サーバ４及び携帯端末６により構成されており、画像処理装置２、サーバ４及び携帯端末６が互いに通信可能となっている。
【００１２】
サーバ４は、プリントサーバの役割を行い、外部のクライアント端末としてのクライアントＰＣ（Personal Computer）８から印刷ジョブを受信すると、携帯端末６からの印刷指示に基づき、該印刷ジョブを画像処理装置２へ送信する。画像処理装置２は、複合機（ＭＦＰ:MultiFunction Peripheral）であり、１台のみ図示するものの複数の画像処理装置２がサーバ４と通信可能に配置され、サーバ４から印刷ジョブを受信し該印刷ジョブに基づき印刷を行う。携帯端末６は、スマートフォン、タブレット、ＰＤＡ（Personal Digital Assistant）、眼鏡型電子機器や腕時計型電子機器等の、ユーザによって持ち運びが容易な可搬型の情報処理機器（モバイル端末）により構成されており、画像処理装置２を用いて印刷を実行するユーザにより操作される。画像処理装置２と携帯端末６とは、例えばＮＦＣ（Near Field Communication）等の近距離無線通信により互いに無線通信を行う。このように画像処理システム１においては、クライアントＰＣ８から印刷ジョブが画像処理装置２へ直接送信されずに、クライアントＰＣ８からサーバ４へ印刷ジョブが送信され、該サーバ４から画像処理装置２へ印刷ジョブが送信される。
【００１３】
かかる構成においてユーザは、印刷を実行する際、クライアントＰＣ８を操作して、印刷ジョブを画像処理装置２へ直接送信するのではなくサーバ４へ一旦送信する（印刷動作ＧＳＰ１）。この印刷の宛先となる画像処理装置２は、クライアントＰＣ８のプリンタドライバの設定により予めサーバ４において設定されている。
【００１４】
次にユーザは、携帯端末６を操作して該携帯端末６からサーバ４にアクセスし、自身が該サーバ４へ送信した印刷ジョブの一覧を該携帯端末６に表示させる（印刷動作ＧＳＰ２）。次にユーザは、携帯端末６を操作することにより、表示された自身の印刷ジョブの中から印刷したい印刷ジョブを選択し、印刷起動をかける（印刷動作ＧＳＰ３）。このときユーザに選択されなかった印刷ジョブは、そのままサーバ４内に保存され続ける。一方ユーザは、印刷をキャンセルしたい印刷ジョブがある場合、表示された自身の印刷ジョブの中から、印刷をキャンセルしたい印刷ジョブを選択することにより、印刷をキャンセルする。印刷がキャンセルされた印刷ジョブは、サーバ４内から消去される。
【００１５】
サーバ４は、ユーザから印刷起動をかけられた印刷ジョブを画像処理装置２へ次々に送信する（印刷動作ＧＳＰ４）。画像処理装置２は、サーバ４から受信した印刷ジョブを次々に印刷する。ここで画像処理装置２は、自身の操作パネル１２（図２）に印刷の詳細情報は表示しない。この印刷の詳細情報とは、印刷に関する設定値である、色合い、明るさやシャープネス等、現在の印刷がどのような設定で行われているかを示す情報である。このように画像処理システム１は、画像処理装置２における印刷に関する表示に制限をかけることにより、該画像処理装置２の操作パネル１２（図２）の前に、今回印刷を実行したユーザ以外の人がいたしても、その人には、印刷を行ったユーザの印刷の詳細情報を見せないようにでき、セキュリティを保つことができる。
【００１６】
ここで、印刷を実行しているユーザは、現在印刷を行っている画像処理装置２に、自身の携帯端末６をかざす（印刷動作ＧＳＰ５）。これに対し画像処理装置２は、かざされた携帯端末６が、サーバ４から受信した印刷ジョブの送信者であることを認証する（詳細は後述する）。続いて画像処理装置２は、印刷ジョブの送信者にのみ見せることのできる情報も含めて携帯端末６へ通知する（印刷動作ＧＳＰ６）。携帯端末６は、画像処理装置２から通知された情報を自身の操作パネル５６に表示することによりユーザに知らせる。
【００１７】
サーバ４は、画像処理装置２へ送信した印刷ジョブが全て印刷された後に画像処理装置２の印刷に関するログ情報である印刷ログを画像処理装置２から受信することにより、印刷の情報を読み出す（印刷動作ＧＳＰ７）。サーバ４は、読み出した印刷の情報の集計等を行い、様々な視点で分析編集してユーザに提供する。
【００１８】
［１−２．画像処理装置の構成］
画像処理装置２は、制御部１０が各部（操作パネル１２、通常通信部１４、近接無線通信部１６、ジョブ実行部１８、ステータス管理部２０及び設定値管理部２２）を統轄制御する。制御部１０は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部（図示せず）から所定のプログラムを読み出して実行することにより、各部を制御して印刷処理等の種々の処理を行う。また制御部１０は、ユーザ管理部２４及びデバイス管理部２６の機能を実現する。
【００１９】
制御部１０は、操作パネル１２、通常通信部１４及び近接無線通信部１６からなる入出力機能群と、ジョブ実行部１８、ステータス管理部２０及び設定値管理部２２からなるサービス提供処理群との中間に位置し、該入出力機能群と該サービス提供処理群との通信を仲立ちする。
【００２０】
提示部としての操作パネル１２は、画像処理装置２内に内部バスインターフェイスで直接接続された入出力装置であり、タッチパネル、操作ボタン及びＬＥＤ（Light Emitting Diode）を有している。タッチパネルは、制御部１０の制御に基づき各種設定画面等を表示する例えば解像度がＶＧＡ（６４０×４８０ｄｏｔ）のＬＣＤ（Liquid Crystal Display）である表示部と、設定画面において各種設定項目の選択を入力させる入力部とが一体化している。操作ボタンは、ユーザの操作を受け付ける。ＬＥＤは、数個程度が実装されており、緑や赤等に点灯及び点滅することにより、ユーザに現在の画像処理装置２の状態を提示する。操作パネル１２は、タッチパネル又は操作ボタンが操作された際、操作指示を制御部１０に送出する。さらに操作パネル１２は、制御部１０の制御に基づき、ユーザに与えられたＵＲＬ（Uniform Resource Locator）により示される宛先からＷｅｂページを読み出してＷｅｂブラウザに表示する。
【００２１】
通常通信部１４は、通信用のプロトコルを搭載しており、そのプロトコルを用いてサーバ４や携帯端末６等の外部の装置と通信を行う。具体的には通常通信部１４は、ＵＳＢ（Universal Serial Bus）やＩＥＥＥ（Institute of Electrical and Electronics Engineers）１３９４等のローカルな通信処理の他、インターネットやファックス等のグローバルな通信処理等により外部の装置と通信を行う。この通常通信部１４は、情報の転送において自発的に内容のある通信は行わず、全て上位層の指示の元で動作する。
【００２２】
近接無線通信部１６は、例えばＮＦＣ（Near Field Communication）等の近距離無線通信により携帯端末６と無線通信を行う。画像処理装置２の近接無線通信を行う部分（例えば操作パネル１２の端等、近距離無線通信用のハードウェアが搭載されている箇所）に携帯端末６の近接無線通信部６０（図４）をユーザが接近させた際に、近接無線通信部１６と近接無線通信部６０との距離が所定値よりも接近すると、画像処理装置２と携帯端末６とは自動的に通信を開始する。近距離無線通信は、通信する２つのデバイスを互いに近接させることが通信の条件となるため、通信開始時点でユーザは、自分が把持しているデバイスとどのデバイスとが通信しているのかを明確に認識することができる。但し近距離無線通信は、通信速度はかなり遅いものが多く、印刷ジョブ等の通信には不向きである。
【００２３】
ジョブ実行部１８は、印刷ジョブに基づき用紙に印刷を行う。またジョブ実行部１８は、印刷ジョブ毎に固有の識別子である印刷ジョブ識別子と、印刷ログとを記憶部（図示せず）に記憶する。ステータス管理部２０は、画像処理装置２内で発生する状態であるステータスを収集する。制御部１０は、近接無線通信部１６を介しステータスを携帯端末６へ送信することにより、携帯端末６に表示させる。設定値管理部２２は、画像処理装置２内で保持する設定値を記憶部（図示せず）に保存しておき、読み出し要求があった場合には記憶部から要求対象の設定値を読み出して通知する。
【００２４】
ユーザ管理部２４は、外部からユーザによって入力される認証情報である入力認証情報と、事前にユーザ管理部２４に登録されている認証情報である登録済認証情報との照合を行うことにより、ユーザの認証を行う。これによりユーザ管理部２４は、画像処理装置２を使用するユーザに提供するサービスを制限する。入力認証情報及び登録済認証情報は、ユーザを識別するユーザ識別子である。ユーザ識別子は、ユーザ名と、該ユーザ名に対応するパスワードとにより構成されている。
【００２５】
デバイス管理部２６は、ユーザインターフェイスを識別するための識別子を、ユーザ名と関連付けて管理する。画像処理装置２は、上述したように操作パネル１２を有している。しかしながら、携帯端末６等も画像処理装置２のユーザインターフェイスと十分成り得る表示能力を有するため、画像処理装置２は、そのような携帯端末６もユーザインターフェイスとして使用することにより、実質は無数のユーザインターフェイスをサポートしているとも言える。デバイス管理部２６は、そのような、外部デバイスであるものの充分な表示能力を有するユーザインターフェイスを、該外部デバイス毎に固有の識別子であるデバイス識別子としてのデバイスＩＤを用いて管理する。
【００２６】
［１−３．サーバの構成］
外部機器としてのサーバ４は、制御部３０が各部（通信部３２、ジョブ管理部３４、ブラウザ画面制御部３６及びデバイスＩＤ管理部３８）を統轄制御することにより、印刷処理を取りまとめて集計報告を出したり、無駄な印刷枚数を削減するための規制等のサービスを提供したりする。
【００２７】
外部機器制御部としての制御部３０は、通信部３２からなる入出力機能と、ジョブ管理部３４、ブラウザ画面制御部３６及びデバイスＩＤ管理部３８からなるサービス提供処理群との中間に位置し、該入出力機能と該サービス提供処理群との通信を仲立ちする。通信部３２は、ＴＣＰ／ＩＰ等の通信用のプロトコルを搭載しており、そのプロトコルを用いて画像処理装置２やサーバ４等の外部の装置と通信を行う。
【００２８】
ジョブ管理部３４は、クライアントＰＣ８（図１）から通信部３２を介して受信した印刷ジョブを、該印刷ジョブを送信したユーザのユーザ名と関連付けて保持する。またジョブ管理部３４は、保持した印刷ジョブを通信部３２経由で画像処理装置２へ送信する。ブラウザ画面制御部３６は、携帯端末６の操作パネル５６に表示されたＷｅｂブラウザからの要求に対してそのＵＲＬに対応するＷｅｂページを保持し、要求に対してそのＷｅｂページを通信部３２を経由して送信する。
【００２９】
デバイスＩＤ管理部３８は、外部よりログインと共に通知されたデバイスＩＤを、ログインしたユーザのユーザ名と関連付けて記憶する。ユーザ管理部４０は、外部からユーザによって入力される入力認証情報と、事前にユーザ管理部４０に登録されている登録済認証情報との照合を行うことにより、ユーザの認証を行う。これによりユーザ管理部４０は、サーバ４を使用するユーザに提供するサービスを制限する。入力認証情報及び登録済認証情報は、ユーザ名と、該ユーザ名に対応するパスワードとにより構成されるユーザ識別子である。
【００３０】
［１−４．携帯端末の構成］
携帯端末６は、制御部５０が各部（携帯端末機能５２及びアプリケーション５４）を統轄制御する。携帯端末機能５２は、通常の携帯端末に搭載されている機能であり、操作パネル５６、通常通信部５８、近接無線通信部６０、Ｗｅｂブラウザ６２及びユーザ管理部６４の機能を実現する。アプリケーション５４は、本発明を実現するための機能であり、携帯端末機能５２が既に内蔵された携帯端末に追加でインストールされる。携帯端末は、アプリケーション５４がインストールされることにより、本実施の形態における携帯端末６となる。アプリケーション５４は、デバイス管理部６８の機能を実現する。デバイス管理部６８は、携帯端末６自身の固有の識別子であるデバイスＩＤを保持する。
【００３１】
操作パネル５６は、携帯端末６の主要な入出力手段であり、タッチパネルを有している。この操作パネル５６は、携帯端末６の機能を実行するアイコンを表示する表示部と、アイコン等の選択を入力させる入力部とが一体化している。この操作パネル５６は、ユーザの操作指示を制御部５０に送出する。制御部５０は、ユーザの要求に基づき所定の内部機能を動作させることにより、所定のサービスをユーザに出力する。この内部機能は、アプリケーション５４という形で追加及び削除されることが可能である。また操作パネル５６は、制御部５０の制御に基づき、ユーザに与えられたＵＲＬにより示される宛先からＷｅｂページを読み出してＷｅｂブラウザ６２に表示する。
【００３２】
通常通信部５８は、通信用のプロトコルを搭載しており、そのプロトコルを用いて画像処理装置２やサーバ４等の外部の装置と通信を行う。具体的には通常通信部５８は、インターネットや電話通信等のグローバルな通信処理等により外部の装置と通信を行う。この通常通信部５８は、情報の転送において自発的に内容のある通信は行わず、全て上位層の指示の元で動作する。近接無線通信部６０は、例えばＮＦＣ等の近距離無線通信により画像処理装置２と無線通信を行う。
【００３３】
Ｗｅｂブラウザ６２は、携帯端末６内の一つのアプリケーションとして搭載された機能であり、ＨＴＭＬ（HyperText Markup Language）、Ｊａｖａ  Ｓｃｒｉｐｔ（登録商標）及びＡｄｏｂｅ  Ｆｌａｓｈ等の言語で記載されたＷｅｂページを読み込み、それを表示する。
【００３４】
ユーザ管理部６４は、外部からユーザによって入力される入力認証情報と、事前にユーザ管理部６４に登録されている登録済認証情報との照合を行うことにより、ユーザの認証を行う。これによりユーザ管理部６４は、携帯端末６を使用するユーザに提供するサービスを制限する。入力認証情報及び登録済認証情報は、ユーザ名と、該ユーザ名に対応するパスワードとにより構成されるユーザ識別子である。
【００３５】
［１−５．携帯端末とサーバとの印刷処理手順］
画像処理システム１による携帯端末６とサーバ４との印刷処理手順ＲＴ１について、図５のシーケンスチャートを用いて説明する。この携帯端末６とサーバ４との印刷処理手順ＲＴ１は、上述した印刷動作ＧＳＰ２及び印刷動作ＧＳＰ３（図１）に対応している。
【００３６】
クライアントＰＣ８から印刷ジョブがサーバ４へ送信されると、ステップＳＰ１において携帯端末６の制御部５０は、ユーザ管理部６４により認証されて携帯端末６にログインしたユーザの操作に基づき、アプリケーション５４を起動し、ステップＳＰ２へ移る。一般に携帯端末６は、個人所有で認証必須が前提のデバイスであるため、必ずログインは必要である。ステップＳＰ２において制御部５０は、ユーザの操作に基づきＷｅｂブラウザ６２を起動し、ユーザによりサーバ４のＵＲＬが入力され、ステップＳＰ３へ移る。ステップＳＰ３において制御部５０は、ユーザのパスワードがＷｅｂブラウザ６２のパスワード入力ページに入力されることによりサーバ４にログインされ、Ｗｅｂページの読み出し要求を示すＷｅｂページ読出要求をＷｅｂブラウザ６２により通常通信部５８を介しサーバ４へ送信する。
【００３７】
ステップＳＰ４においてサーバ４の制御部３０は、Ｗｅｂページ読出要求を通信部３２を介し携帯端末６から受信すると、ユーザ管理部４０によりユーザの認証を行うと共に、指定されたＵＲＬに対応するＷｅｂページをブラウザ画面制御部３６により読み出し、ステップＳＰ５へ移る。ステップＳＰ５において制御部３０は、指定されたＷｅｂページを通信部３２を介しブラウザ画面制御部３６により携帯端末６へ送信する。
【００３８】
ステップＳＰ６において携帯端末６の制御部５０は、指定されたＷｅｂページを通常通信部５８を介し受信すると、該Ｗｅｂページを操作パネル５６上のＷｅｂブラウザ６２に表示させ、ステップＳＰ７へ移る。このＷｅｂページはサーバ４が持つＷｅｂページのトップページであり、携帯端末６は、このトップページからサーバ４が持つ他のＷｅｂページを表示させることができる。ステップＳＰ７において制御部５０は、デバイス管理部６８から携帯端末６のデバイスＩＤを読み出し、該デバイスＩＤをユーザ名と合わせて通常通信部５８を介しサーバ４へ送信する。このように携帯端末６は、携帯端末６の使用者と携帯端末６自体を関連付けてサーバ４に通知している。この通知によりサーバ４は、現在誰がアクセスしてきているのかを知ることができる。
【００３９】
ステップＳＰ８においてサーバ４の制御部３０は、ユーザ名及びデバイスＩＤを通信部３２を介し携帯端末６から受信すると、該ユーザ名及びデバイスＩＤを関連付けてデバイスＩＤ管理部３８に保存する。この段階でＷｅｂページの要求元が誰なのかは既に判明しているため、サーバ４は、要求元のユーザがクライアントＰＣ８から投入した印刷ジョブの一覧情報である印刷ジョブ一覧情報としての印刷ジョブリストを携帯端末６へ送信できる。
【００４０】
ステップＳＰ９において携帯端末６の制御部５０は、印刷ジョブリストを通常通信部５８を介しサーバ４から受信して操作パネル５６上のＷｅｂブラウザ６２に読み出したＷｅｂページに該印刷ジョブリストを表示させ、ステップＳＰ１０へ移る。これによりユーザは、自身が既に印刷を実行した印刷ジョブと、既にサーバ４へ送信し未だ印刷を実行していない印刷ジョブとを一覧で確認できる。
【００４１】
ステップＳＰ１０において制御部５０は、Ｗｅｂブラウザ６２のＷｅｂページ上で、表示させた印刷ジョブリストから、印刷したい印刷ジョブがユーザに選択され印刷ボタンが押下されるまで待ち受け、ステップＳＰ１１へ移る。一方ユーザは、印刷をキャンセルしたい印刷ジョブがある場合、印刷ジョブリストから印刷をキャンセルしたい印刷ジョブを選択してキャンセルボタンを押下することにより、該印刷ジョブをサーバ４内から削除させる。この印刷ジョブリストには、印刷コスト等も表示されることがあり、ユーザは、印刷コストと印刷の必要性とを天秤にかけ、印刷するのかキャンセルするのかを判断する。
【００４２】
ステップＳＰ１１において制御部５０は、Ｗｅｂブラウザ６２に読み出したＷｅｂページにおいて選択された印刷ジョブを特定する情報である印刷ジョブ特定情報と印刷の実行を要求する印刷要求とを通常通信部５８を介しサーバ４へ送信する。因みに制御部５０は、印刷ジョブのキャンセルがユーザに選択されると、該印刷ジョブを特定する印刷ジョブ特定情報と、印刷のキャンセルを要求するキャンセル要求とをサーバ４へ送信する。
【００４３】
［１−６．サーバと画像処理装置との印刷処理手順］
画像処理システム１によるサーバ４と画像処理装置２との印刷処理手順ＲＴ２について、図６のシーケンスチャートを用いて説明する。このサーバ４と画像処理装置２との印刷処理手順ＲＴ２は、上述した印刷動作ＧＳＰ４及び印刷動作ＧＳＰ７（図１）に対応している。
【００４４】
ステップＳＰ２１においてサーバ４の制御部３０は、印刷ジョブ特定情報及び印刷要求を通信部３２を介し携帯端末６から受信すると、印刷先となる画像処理装置２である印刷対象画像処理装置を選択する。この印刷対象画像処理装置は、クライアントＰＣ８のプリンタドライバに基づき予めサーバ４において設定されており、基本的には、ユーザ毎に固定した画像処理装置２に設定されている。
【００４５】
ステップＳＰ２２において制御部３０は、携帯端末６から受信したユーザ名及びデバイスＩＤをデバイスＩＤ管理部３８から読み出し、ステップＳＰ２３へ移る。ステップＳＰ２３において制御部３０は、ユーザ名のログインを通知することを示すユーザ名ログイン通知と、デバイスＩＤとを、通信部３２を介し画像処理装置２へ送信する。このユーザ名ログイン通知とは、ログインしたユーザ名と、該ユーザ名によりログインされたことを示す情報とを通知するものである。
【００４６】
ここで、一般的に画像処理装置２は、該画像処理装置２を利用するユーザを識別し、ユーザ毎に様々な制限をかけたり集計したりする。ユーザを識別し認証する方法としては従来から大きく２通り存在する。１つ目の認証方法は、画像処理装置２内に登録済認証情報を予め登録し、画像処理装置２に入力された入力認証情報と該登録済認証情報とを照合して認証する方法である。２つ目の認証方法は、ＬＤＡＰ（Lightweight Directory Access Protocol）サーバ等に登録済認証情報を予め登録し、画像処理装置２に入力された入力認証情報を該ＬＤＡＰサーバに送信して該ＬＤＡＰサーバにおいて入力認証情報と該登録済認証情報とを照合して認証してもらい、その結果を画像処理装置２が受け取ることで認証する方法である。これに対し本実施の形態の画像処理システム１は、１つ目の認証方法と２つ目の認証方法とのどちらとも異なる認証方法を行う。すなわち画像処理システム１においては、登録済認証情報はサーバ４内のユーザ管理部４０又はＬＤＡＰサーバ内に予め登録され、入力認証情報は携帯端末６を介しサーバ４に入力される。つまり画像処理システム１においては、ログインする際にユーザが入力する入力認証情報が画像処理装置２に入らず、画像処理装置２の外部であるサーバ４で全て認証処理が済ませられ、その結果のみが画像処理装置２に通知されるだけの方法が行われる。そして画像処理システム１では、ユーザ名ログイン通知により通知されるユーザ名とペアでデバイスＩＤも一緒にサーバ４から画像処理装置２へ通知する。これにより画像処理装置２は、デバイスＩＤで示される携帯端末６を操作する、ユーザ名で示されるユーザがクライアントＰＣ８から印刷ジョブを送信してきたことを認識する。
【００４７】
ステップＳＰ２４において画像処理装置２の制御部１０は、ユーザ名ログイン通知及びデバイスＩＤを通常通信部１４を介しサーバ４から受信すると、ユーザ管理部２４にユーザ名を確認し、画像処理装置２をそのユーザでログインした状態にし、ステップＳＰ２５へ移る。ステップＳＰ２５において制御部１０は、サーバ４から受信したデバイスＩＤをユーザ名と関連付けてデバイス管理部２６に保存する。
【００４８】
ステップＳＰ２６においてサーバ４の制御部３０は、ジョブ管理部３４から印刷対象の印刷ジョブである印刷対象ジョブを読み出して通信部３２を介し画像処理装置２へ送信する。
【００４９】
ステップＳＰ２７において画像処理装置２の制御部１０は、印刷対象ジョブを通常通信部１４を介しサーバ４から受信すると、該印刷対象ジョブをジョブ実行部１８へ転送して印刷し、ステップＳＰ２８へ移る。制御部１０は、ここで受信した印刷対象ジョブに関し、それぞれ先に保存したユーザ名及びデバイスＩＤと関連付けてデバイス管理部２６内に記憶する。ステップＳＰ２８において制御部１０は、印刷ログをジョブ実行部１８により所定の記憶部（図示せず）へ保存する。
【００５０】
ステップＳＰ２９においてサーバ４の制御部３０は、ジョブ管理部３４から印刷ジョブ終了の通知を受け取ると、印刷ログを画像処理装置２から要求する印刷ログ要求を通信部３２を介し画像処理装置２へ送信する。
【００５１】
ステップＳＰ３０において画像処理装置２の制御部１０は、通常通信部１４を介し印刷ログ要求を受信すると、ジョブ実行部１８から対象となる印刷ログを読み出し、該印刷ログを通常通信部１４を介しサーバ４へ送信する。
【００５２】
［１−７．携帯端末と画像処理装置との印刷処理手順］
画像処理システム１による携帯端末６と画像処理装置２との印刷処理手順ＲＴ３について、図７のシーケンスチャートを用いて説明する。この携帯端末６と画像処理装置２との印刷処理手順ＲＴ３は、上述した印刷動作ＧＳＰ５及び印刷動作ＧＳＰ６（図１）に対応している。
【００５３】
ステップＳＰ３１において携帯端末６の制御部５０は、現在印刷を実行している画像処理装置２においてこの印刷を実行しているユーザが携帯端末６を把持して、該携帯端末６を該画像処理装置２にかざすまで待ち受け、ステップＳＰ３２へ移る。ステップＳＰ３２において制御部５０は、画像処理装置２の近接無線通信部１６を近接無線通信部６０により認識すると、画像処理装置２が近接していることをアプリケーション５４に通知し、ステップＳＰ３３へ移る。ステップＳＰ３３において制御部５０は、ユーザ管理部６４からユーザ名を、デバイス管理部６８からデバイスＩＤをアプリケーション５４により読み出し、ステップＳＰ３４へ移る。ステップＳＰ３４において制御部５０は、アプリケーション５４により近接無線通信部６０に対してユーザ名及びデバイスＩＤを設定し、ステップＳＰ３５へ移る。ステップＳＰ３５において制御部５０は、画像処理装置２の近接無線通信部１６にユーザ名及びデバイスＩＤを近接無線通信部６０により転送する。
【００５４】
ステップＳＰ３６において画像処理装置２の制御部１０は、近接無線通信部１６を介し携帯端末６から受信したユーザ名とデバイスＩＤとを関連付けてデバイス管理部２６に保存し、ステップＳＰ３７へ移る。ステップＳＰ３７において制御部１０は、画像処理装置２のステータスが変化するとそれを所定の宛先に通知するため、ステータス管理部２０から送信依頼をされ、ステップＳＰ３８へ移る。本実施の形態におけるステータスは、セキュリティ上、印刷ジョブの印刷を実行したユーザにのみ提示することが許される情報であるとする。ここで、ステータスの宛先について説明する。画像処理装置２において発生したステータスの変化を通知する最も典型的な宛先は操作パネル１２である。画像処理装置２は、ステータスの変化を操作パネル１２に通常は表示する。本実施の形態においては、操作パネル１２以外に、接続中の携帯端末６や、接続してないがこの後接続してくる可能性がある携帯端末等も宛先となる。画像処理装置２は、接続中の携帯端末６も、接続してないがこの後接続してくる可能性がある携帯端末も、デバイス管理部２６内のユーザ名及びデバイスＩＤで認識する。
【００５５】
ステップＳＰ３８において制御部１０は、送信するステータスが関連するユーザと、ステータスを送信すべきデバイスとをデバイス管理部２６に確認し、ステップＳＰ３９へ移る。ステップＳＰ３９において制御部１０は、送信するステータスが関連するユーザのユーザ名と、ステータスを送信すべきデバイスのデバイスＩＤとが、ステップＳＰ３６においてデバイス管理部２６に保持したユーザ名及びデバイスＩＤと一致した場合、ステータスの送信先が同一ユーザ名及びデバイスＩＤであると認識し、デバイスＩＤにより示される携帯端末６へステータスを近接無線通信部１６により送信する。一方制御部１０は、送信するステータスが関連するユーザのユーザ名と、ステータスを送信すべきデバイスのデバイスＩＤとが、デバイス管理部２６に保持したユーザ名及びデバイスＩＤと一致しない場合、ステータスを携帯端末６へ送信しないことにより、現在印刷を行っているユーザ以外には画像処理装置２のステータスを提示しないようにし、セキュリティを保つ。
【００５６】
画像処理装置２に携帯端末６がかざされると、該携帯端末６を把持するユーザが印刷を希望する全ての印刷ジョブの印刷が完了するまで、ステータスが画像処理装置２から携帯端末６へ送信される。このためユーザは、ステータスを画像処理装置２から携帯端末６に受信する間、携帯端末６をずっと画像処理装置２にかざし続ける必要がない。
【００５７】
なお画像処理装置２は、用紙切れ等、現在印刷を行っているユーザ以外に提示されてもセキュリティ上問題にならないステータスの場合、該ステータスを携帯端末６へ送信せずに、自身の操作パネル１２に表示させる。
【００５８】
［１−８．効果等］
従来の画像処理システムにおいて、印刷に関する情報を画像処理装置からクライアントＰＣに送信し、該クライアントＰＣで表示させる場合、ユーザが自席の使ってないクライアントＰＣ等でログアウトを忘れたままにしてしまうと、該ユーザの印刷に関する情報が、該ユーザ以外の他のユーザにも該クライアントＰＣにおいて見られてしまいセキュリティを保てない可能性があった。
【００５９】
これに対し本実施の形態による画像処理システム１は、印刷ジョブの印刷を実行したユーザにのみ提示可能な印刷に関する情報であるステータスを、画像処理装置２の操作パネル１２には表示させずに、サーバ４を介し認証を行ったユーザが把持する携帯端末６が画像処理装置２にかざされた場合にのみ、画像処理装置２から携帯端末６へ送信し、携帯端末６の操作パネル５６に表示させるようにした。
【００６０】
このため画像処理システム１は、送信するステータスが関連するユーザのユーザ名と、ステータスを送信すべきデバイスのデバイスＩＤとが、携帯端末６から画像処理装置２が受信した保持したユーザ名及びデバイスＩＤと一致した場合にのみ、該携帯端末６に印刷に関する情報を表示させることができる。
【００６１】
これにより画像処理システム１は、印刷対象画像処理装置として選択した画像処理装置２の目の前に印刷を実行したユーザが確実に存在する場合にだけ、該ユーザが把持する携帯端末６にのみ、該ユーザの印刷に関する情報を表示させることができ、印刷を実行させたユーザ以外に、該ユーザの印刷に関する情報が見られてしまうことを防止できる。
【００６２】
また画像処理システム１は、携帯端末６を画像処理装置２にかざさせるという、直感的でシンプルな動作のみをユーザに行わせるだけで、ステータスを携帯端末６に表示させることができる。
【００６３】
また画像処理システム１は、ログインする際にユーザが入力する入力認証情報を画像処理装置２に入力させずに、画像処理装置２の外1部であるサーバ４で認証処理を行い、その結果のみを画像処理装置２に通知するようにした。これにより画像処理システム１は、認証情報であるユーザ名とパスワードのうち、パスワードは画像処理装置２に入力されずに、ユーザ名のみが入力されるようにできる。これにより画像処理システム１は、ユーザ名とパスワードとの両方が画像処理装置２に入力される場合と比べて、セキュリティを向上できる。
【００６４】
以上の構成によれば画像処理システム１は、画像処理装置２と携帯端末６とを設け、画像処理装置２は、印刷ジョブを受け付ける際に外部機器であるサーバ４から通知された該印刷ジョブの印刷を実行する認証されたユーザのユーザ名を保持するデバイス管理部２６と、近接無線通信で携帯端末６から該携帯端末６を操作するユーザのユーザ名を受信する近接無線通信部１６と、近接無線通信部１６により受信したユーザ名が、デバイス管理部２６に保持されたユーザ名と一致するか否かを判定し、一致した場合、印刷ジョブに関する情報を携帯端末６へ送信する制御部１０とを有し、携帯端末６は、ユーザ名を画像処理装置２へ送信すると共に、印刷ジョブに関する情報を画像処理装置２から受信する近接無線通信部６０と、受信した印刷ジョブに関する情報を提示する操作パネル５６とを有するようにした。これにより画像処理システム１は、印刷を行っている画像処理装置２と通信を行った、ユーザが把持する携帯端末６に印刷に関する情報を表示させることにより、印刷に関する情報を、該印刷を実行させたユーザ以外に提示してしまうことを防ぐことができる。
【００６５】
［２．第２の実施の形態］
［２−１．画像処理システムの構成］
図１に示すように、第２の実施の形態による画像処理システム１０１は、第１の実施の形態による画像処理システム１と比較して、サーバ４に代えてサーバ１０４が設けられているものの、それ以外は同様に構成されている。サーバ１０４は、画像処理装置２と同様の画像処理装置２を複数管理し、それらのジョブ実行状況を監視している。
【００６６】
［２−２．サーバの構成］
図３と対応する機能に同一符号を付した図８に示すように、第２の実施の形態によるサーバ１０４は、第１の実施の形態によるサーバ４と比較して、それぞれ制御部３０に代えて制御部１３０が、ブラウザ画面制御部３６に代えてブラウザ画面制御部１３６が設けられているものの、それ以外は同様に構成されている。
【００６７】
制御部１３０は制御部３０と比較して、画像処理装置管理部７０が追加されている点が異なっているものの、それ以外は同様に構成されている。制御部１３０は、画像処理装置２を複数管理し、複数の画像処理装置２の印刷状態を画像処理装置２に定期的に問い合わせし、その印刷状態を把握する。また制御部１３０は、管理する画像処理装置２の一覧とその状態とを、画像処理装置管理部７０に図９に示す画像処理装置リストＴＢ１として保存する。この画像処理装置リストＴＢ１は、サーバ４が管理している複数の画像処理装置２と、それぞれの画像処理装置２の印刷状態が、現在印刷を行っておりすぐには印刷を行えない状態であるＢＵＳＹか、又はすぐに印刷可能な状態であるＦＲＥＥであるかを示している。制御部１３０は、携帯端末６から印刷要求を受信した際に、画像処理装置リストＴＢ１を要求された場合は、画像処理装置管理部７０から画像処理装置リストＴＢ１を読み出して携帯端末６に通知する。
【００６８】
ブラウザ画面制御部１３６は、ブラウザ画面制御部３６と同様の機能に加えて、画像処理装置リストＴＢ１（図９）を表示させる。制御部１３０は、サーバ１０４が管理する画像処理装置２のリストとその印刷状態とを取得して該画像処理装置リストＴＢ１を更新し、該画像処理装置リストＴＢ１をブラウザ画面制御部１３６によりＷｅｂページに設定して送信する。
【００６９】
かかる構成においてユーザは、第１の実施の形態と同様に、印刷情報をクライアントＰＣ８からサーバ１０４へ送信する（印刷動作ＧＳＰ１）。第１の実施の形態と異なり、サーバ１０４は、ユーザが使用可能な複数の画像処理装置２のＩＰ（Internet Protocol）アドレスを予め登録している。
【００７０】
サーバ１０４は、登録された画像処理装置２に対し、ＭＩＢ（Management Information Base）、ＰＪＬ（Printer Job Language）又はＷｅｂＳｅｒｖｉｃｅ等により、現在の印刷状態を定期的に確認し、画像処理装置リストＴＢ１において、ＩＰアドレス及び画像処理装置名と関連付けて、その画像処理装置２の印刷状態を保存する。続いてサーバ１０４は、登録されている画像処理装置２の一覧とそれぞれの画像処理装置２の印刷状態とを、携帯端末６から接続された時に返信する。
【００７１】
次にユーザは、携帯端末６を操作して該携帯端末６からサーバ１０４にアクセスし、自身が該サーバ１０４へ送信した印刷ジョブの一覧を該携帯端末６に表示させる（印刷動作ＧＳＰ２）。次にユーザは、携帯端末６を操作することにより、表示された自身の印刷ジョブの中から印刷したい印刷ジョブを選択し、印刷起動をかける（印刷動作ＧＳＰ１３）。このときに第１の実施の形態と異なり、ユーザは、表示された画像処理装置２の一覧の中から、画像処理装置２毎の印刷状態を参考にし、印刷する画像処理装置２を選択する。
【００７２】
サーバ１０４は、ユーザから印刷起動をかけられた印刷ジョブを、第１の実施の形態と異なり、ユーザが選択した画像処理装置２へ次々に送信する（印刷動作ＧＳＰ１４）。画像処理装置２は、サーバ１０４から受信した印刷ジョブを次々に印刷する。
【００７３】
ここで、印刷を実行しているユーザは、第１の実施の形態と同様に、現在印刷を行っている画像処理装置２に、自身の携帯端末６をかざす（印刷動作ＧＳＰ５）。これに対し画像処理装置２は、かざされた携帯端末６が、サーバ１０４から受信した印刷ジョブの送信者であることを認証する。続いて画像処理装置２は、第１の実施の形態と同様に、印刷ジョブの送信者にのみ見せることのできる情報も含めて携帯端末６へ通知する（印刷動作ＧＳＰ６）。携帯端末６は、画像処理装置２から通知された情報を自身の操作パネル５６に表示することによりユーザに知らせる。
【００７４】
サーバ１０４は、  第１の実施の形態と同様に、画像処理装置２へ送信した印刷ジョブが全て印刷された後に画像処理装置２の印刷に関するログ情報である印刷ログを画像処理装置２から受信することにより、印刷の情報を読み出す（印刷動作ＧＳＰ７）。サーバ１０４は、読み出した印刷の情報の集計等を行い、様々な視点で分析編集してユーザに提供する。
【００７５】
［２−３．携帯端末とサーバとの印刷処理手順］
画像処理システム１０１による携帯端末６とサーバ１０４との印刷処理手順ＲＴ１１について、図５と対応するフローに同一符号を付した図１０のシーケンスチャートを用いて説明する。この携帯端末６とサーバ１０４との印刷処理手順ＲＴ１１は、上述した印刷動作ＧＳＰ２及び印刷動作ＧＳＰ１３に対応している。携帯端末６及びサーバ１０４は、ステップＳＰ１〜ステップＳＰ８において印刷処理手順ＲＴ１（図５）と同様の処理を行う。ステップＳＰ８においてサーバ１０４の制御部３０は、印刷ジョブリストと画像処理装置リストＴＢ１とを携帯端末６へ送信できるようになる。
【００７６】
ステップＳＰ１０９において携帯端末６の制御部５０は、印刷ジョブリスト及び画像処理装置リストＴＢ１を通常通信部５８を介しサーバ１０４から受信して、操作パネル５６上のＷｅｂブラウザ６２に読み出したＷｅｂページに該印刷ジョブリスト及び該画像処理装置リストＴＢ１を表示させ、ステップＳＰ１１０へ移る。ユーザは、画像処理装置リストＴＢ１を見ることにより、印刷先として選択可能な画像処理装置２のうち、どの画像処理装置２がすぐに印刷できる状態なのか、又は他の印刷で忙しいのかを認識する。ステップＳＰ１１０において制御部５０は、Ｗｅｂブラウザ６２のＷｅｂページ上で、表示させた印刷ジョブリストから、印刷したい印刷ジョブが選択されると共に、画像処理装置リストＴＢ１から印刷対象画像処理装置が選択され、印刷ボタンが押下されるまで待ち受け、ステップＳＰ１１１へ移る。ステップＳＰ１１１において制御部５０は、印刷ジョブ特定情報と、印刷対象画像処理装置を示す情報である印刷先特定情報と、印刷要求とを通常通信部５８を介しサーバ１０４へ送信する。
【００７７】
［２−４．サーバと画像処理装置との印刷処理手順］
画像処理システム１０１によるサーバ１０４と画像処理装置２との印刷処理手順ＲＴ１２について、図６と対応するフローに同一符号を付した図１１のシーケンスチャートを用いて説明する。このサーバ１０４と画像処理装置２との印刷処理手順ＲＴ１２は、上述した印刷動作ＧＳＰ１４及び印刷動作ＧＳＰ７に対応している。
【００７８】
ステップＳＰ１２１においてサーバ１０４の制御部１３０は、印刷ジョブ特定情報、印刷先特定情報及び印刷要求を通信部３２を介し携帯端末６から受信すると、ユーザから指定された、印刷する対象となる画像処理装置２である印刷対象画像処理装置を選択する。サーバ１０４及び画像処理装置２は、以降のステップＳＰ２３〜ステップＳＰ３０において印刷処理手順ＲＴ２（図６）と同様の処理を行う。
【００７９】
［２−５．効果等］
以上の構成において画像処理システム１０１は、ユーザに対し印刷対象画像処理装置を予め固定するのではなく、印刷ジョブリストに加えて画像処理装置リストＴＢ１を携帯端末６に表示させ、画像処理装置リストＴＢ１においてユーザに選択された画像処理装置２で印刷を行うようにした。
【００８０】
これにより画像処理システム１０１は、印刷状態がＦＲＥＥである画像処理装置２を印刷対象画像処理装置としてユーザに選択させることにより、印刷状態がＢＵＳＹである画像処理装置２での印刷が完了するまで印刷を待つよりも、早く印刷を終わらせることができる。
【００８１】
また画像処理システム１０１は、例えば、ユーザの遠くに位置しており印刷状態がＦＲＥＥの画像処理装置２ではなく、ユーザの近くに位置しており印刷状態がＢＵＳＹである画像処理装置２を敢えてユーザが選択する等の、ユーザの意思を反映させることができる。
【００８２】
［３．他の実施の形態］
なお上述した実施の形態においては、クライアントＰＣ８からサーバ４又は１０４を介し印刷ジョブを画像処理装置２へ送信する場合について述べた。本発明はこれに限らず、クライアントＰＣ８からサーバ４又は１０４を介さずに印刷ジョブを画像処理装置２へ送信しても良い。また、携帯端末６からサーバ４又は１０４へ印刷ジョブを送信しても良い。
【００８３】
また上述した実施の形態においては、現在画像処理装置２で印刷を行っているユーザの印刷に関する情報を画像処理装置２から携帯端末６へ送信することにより、携帯端末６の操作パネル５６に表示させる場合について述べた。本発明はこれに限らず、例えば携帯端末６が画像処理装置２にかざされている間だけ、現在画像処理装置２で印刷を行っているユーザの印刷に関する情報を画像処理装置２の操作パネル１２に表示させても良い。
【００８４】
さらに上述した実施の形態においては、セキュリティ上、印刷ジョブの印刷を実行したユーザにのみ提示可能な印刷に関する情報であるステータスを、画像処理装置２には表示させずに該画像処理装置２から携帯端末６へ送信する場合について述べた。本発明はこれに限らず、例えばユーザの印刷に関する課金額及び使用金額、ファイル名やユーザ名等も、印刷ジョブの印刷を実行したユーザにのみ提示可能な印刷に関する情報として、画像処理装置２には表示させずに該画像処理装置２から携帯端末６へ送信しても良い。また、印刷の詳細情報も、印刷ジョブの印刷を実行したユーザにのみ提示可能な印刷に関する情報として、画像処理装置２には表示させずに該画像処理装置２から携帯端末６へ送信しても良い。さらに例えば、印刷ジョブにおいて指定された用紙のサイズが画像処理装置２にセットされた用紙と異なるが印刷を続行するか否か等を示すダイアログボックスも、印刷ジョブの印刷を実行したユーザにのみ提示可能な印刷に関する情報として、画像処理装置２には表示させずに該画像処理装置２から携帯端末６へ送信しても良い。その場合、印刷ジョブを送信したユーザ以外のユーザに勝手に画像処理装置２が操作され、印刷をキャンセルされてしまうことを防止できる。
【００８５】
さらに上述した実施の形態においては、印刷に関する情報を画像処理装置２から携帯端末６へ近距離無線通信により送信する場合について述べた。本発明はこれに限らず、携帯端末６の認証が完了すると、印刷に関する情報を画像処理装置２からサーバ４又は１０４を介し携帯端末６へ送信しても良い。
【００８６】
さらに上述した実施の形態においては、送信するステータスが関連するユーザのユーザ名と、ステータスを送信すべきデバイスのデバイスＩＤとが、デバイス管理部２６に保持したユーザ名及びデバイスＩＤと一致した場合、デバイスＩＤにより示される携帯端末６へステータスを送信する場合について述べた。本発明はこれに限らず、送信するステータスが関連するユーザのユーザ名のみがデバイス管理部２６に保持したユーザ名と一致した場合であっても、ステータスを送信すべきデバイスのデバイスＩＤにより示される携帯端末６へステータスを送信しても良い。
【００８７】
さらに上述した実施の形態においては、ユーザ名と該ユーザ名に対応するパスワードとによりユーザ識別子を構成する場合について述べた。本発明はこれに限らず、数値、指紋又はアイリス（虹彩）等によりユーザ識別子を構成しても良い。
【００８８】
さらに上述した実施の形態においては、画像処理装置２と携帯端末６とがＮＦＣにより接続される場合について述べた。本発明はこれに限らず、Ｂｌｕｅｔｏｏｔｈ（登録商標）やＺｉｇＢｅｅ等、他の種々の近距離無線通信手段により画像処理装置２と携帯端末６とが接続されても良い。
【００８９】
さらに上述した実施の形態においては、複合機である画像処理装置２に本発明を適用する場合について述べた。本発明はこれに限らず、複写機や、スキャナやファックス等が搭載されていないプリンタ等に適用しても良い。
【００９０】
さらに上述した実施の形態においては、デバイス管理部としてのデバイス管理部２６と、近接無線通信部としての近接無線通信部１６と、ユーザ管理部としてのユーザ管理部２４と、制御部としての制御部１０とを有する画像処理装置としての画像処理装置２と、携帯端末近接無線通信部としての近接無線通信部６０と、携帯端末提示部としての操作パネル５６とを有する携帯端末としての携帯端末６とによって、画像処理システムとしての画像処理システム１を構成する場合について述べた。本発明はこれに限らず、その他種々の構成でなるデバイス管理部と、近接無線通信部と、ユーザ管理部と、制御部とを有する画像処理装置と、携帯端末近接無線通信部と、携帯端末提示部とを有する携帯端末とによって、画像処理システムを構成しても良い。
【産業上の利用可能性】
【００９１】
本発明は、画像を印刷する画像処理装置の他、イメージスキャナやファックス、或いは複写機等、画像に関する種々の処理を行う種々の電子機器でも利用できる。
【符号の説明】
【００９２】
１、１０１……画像処理システム、２……画像処理装置、４、１０４……サーバ、６……携帯端末、８……クライアントＰＣ、１０……制御部、１２……操作パネル、１４……通常通信部、１６……近接無線通信部、１８……ジョブ実行部、２０……ステータス管理部、２２……設定値管理部、２４……ユーザ管理部、２６……デバイス管理部、３０、１３０……制御部、３２……通信部、３４……ジョブ管理部、３６、１３６……ブラウザ画面制御部、３８……デバイスＩＤ管理部、４０……ユーザ管理部、５０……制御部、５２……携帯端末機能、５４……アプリケーション、５６……操作パネル、５８……通常通信部、６０……近接無線通信部、６２……Ｗｅｂブラウザ、６４……ユーザ管理部、６８……デバイス管理部、７０……画像処理装置管理部、ＴＢ１……画像処理装置リスト、ＧＳＰ１、ＧＳＰ２、ＧＳＰ３、ＧＳＰ４、ＧＳＰ５、ＧＳＰ６、ＧＳＰ７、ＧＳＰ１３、ＧＳＰ１４……印刷動作。
【図１】
2018142116.tif 000003
【図２】
2018142116.tif 000004
【図３】
2018142116.tif 000005
【図４】
2018142116.tif 000006
【図５】
2018142116.tif 000007
【図６】
2018142116.tif 000008
【図７】
2018142116.tif 000009
【図８】
2018142116.tif 000010
【図９】
2018142116.tif 000011
【図１０】
2018142116.tif 000012
【図１１】
2018142116.tif 000013